(57)【特許請求の範囲】
【請求項１】
絶縁材料により中空箱型に形成され、電線を挿入する１乃至複数の電線挿通孔が前面に並設されるケースと、
ケース内において電線挿通孔に対向して設けられる基部及び基部において電線挿通孔の並設方向に沿って形成された縁端部からケースの前面側へ延設される導通片を有する端子板、並びに導通片と対向して配置され、電線挿通孔を介してケース内に入線する電線を導通片へ押圧して電線と端子板とを電気的に接続する鎖錠ばねを有する速結端子とを備え、
前記端子板は、電線挿通孔の並設方向における基部の端部からケースの前面側へ延設される立設部、及び立設部の先端から電線挿通孔の並設方向へ延設されてケース外に突出し、ねじ孔が穿設されるねじ端子部が形成され、
前記ねじ端子部は、挿通孔を有する銅板と、挿通孔と略同軸となるねじ孔が穿設されて銅板に重ねて配設される鉄板とから構成される
ことを特徴とする端子台。
【発明の詳細な説明】
【技術分野】
【０００１】
本発明は、端子台に関するものである。
【背景技術】
【０００２】
従来より、ねじによらずに電線の接続を可能にした、所謂速結端子を有した端子台が提供されている。そして、この種の端子台は、例えば住宅等の室内に設置される分電盤に取り付けられ、分電盤の各分岐ブレーカより配電される電源コンセントのアース端子と電線を介して電気的に接続されることで、電源コンセントに接続される電子機器の接地を行っている。
【０００３】
このような端子台Ｂとして、図６に示すように、ケース５１と、ケース５１内に配設される速結端子５２とを備えたものが提供されている（例えば特許文献１参照）。以下、図６における上下左右方向を基準として説明を行う。
【０００４】
ケース５１は、絶縁材料により形成され、下面が開口する略矩形箱型のカバー５１１と、長尺略矩形板状に形成されてカバー５１１の開口（下面）に覆設されるベース５１２とから構成される。
【０００５】
カバー５１１の上面には、図示しない電線が挿通する電線挿通孔５１１ａが左右方向に沿って複数貫設されている。また、カバー５１１の左右各側壁の下端には、略矩形状の切り欠き５１１ｂがそれぞれ形成されている。
【０００６】
ベース５１２は、左右（長手）方向の寸法がカバー５１１の左右方向の寸法よりも長く形成され、長手方向両端には、略六角形状の凹部５１２ａがそれぞれ形成されており、各凹部５１２ａには、六角ナット５１３がそれぞれ嵌設されている。
【０００７】
速結端子５２は、複数の鎖錠ばね５２１と、鎖錠ばね５２１によって押圧される電線と導通する端子板５２２と、鎖錠ばね５２１を撓ませることで鎖錠ばね５２１の電線に対する押圧を解除する解除釦５２３とを備える。
【０００８】
鎖錠ばね５２１は、略帯板状の中央片５２１ａと、中央片５２１ａの一端から延設されて中央片５２１ａと鋭角を形成する鎖錠片５２１ｂと、中央片５２１ａの他端から延設されて略Ｓ字状に形成され、中央片５２１ａの厚み方向に弾性を有する押圧片５２１ｃとから構成される。
【０００９】
端子板５２２は、長尺略矩形板状の基部５２２ａと、基部５２２ａの一端から延設される狭持片５２２ｂと、基部５２２ａの他端から狭持片５２２ｂに対して略平行となるように延設される当接片５２２ｃとから断面略略コの字状に形成される。基部５２２ａは、長手方向の寸法がカバー５１１の長手方向における内寸と略等しく、長手方向の両端からは、挿通孔５２２ｅが穿設された端子片５２２ｄがそれぞれ延設される。
【００１０】
そして、鎖錠ばね５２１及び解除釦５２３は、端子板５２２の狭持片５２２ｂと当接片５２２ｃとの間に配設され、鎖錠ばね５２１の中央片５２１ａと端子板５２２の当接片５２２ｃとが当接し、鎖錠ばね５２１の鎖錠片５２１ｂ及び押圧片５２１ｃが、端子板５２２の当接片５２２ｃに対向した状態で設けられる。
【００１１】
続いて、端子板５２２が、開放端をカバー５１１の電線挿通孔５１１ａに対向させた状態でカバー５１１の開口より当該カバー５１１内へ挿入され、その後に、カバー５１１の開口にベース５１２が覆設される。その際、カバー５１１とベース５１２との間からは、カバー５１１の切り欠き５１１ｂを介して、端子板５２２の端子片５２２ｄがカバー５１１外へ突出する。ここで、端子片５２２ｄの挿通孔５２２ｅと、ベース５１２に嵌設された六角ナット５１３のねじ孔５１３ａとは略同軸となるように設定されており、ねじ５３が挿通孔５２２ｅを挿通して六角ナット５１３のねじ孔５１３ａに螺合することで、端子板５２２がベース５１２に共締め固定される。つまり、ねじ５３と端子片５２２ｄと六角ナット５１３とからねじ端子部５４が形成される。
【００１２】
ねじ端子部５４には、一端が接地されて他端に丸端子等が設けられた図示しないアース線の他端が接続される。また、一端が外部負荷に接続された電線の他端が、カバー５１１の挿通孔５１１ａを挿通してケース５１１内に挿し込まれて、鎖錠ばね５２１の鎖錠片５２１ｂ及び押圧片５２２ｃによって端子板５２２の狭持片５２２ｂに押圧されることで端子板５２２と導通し、アース接続される。
【先行技術文献】
【特許文献】
【００１３】
【特許文献１】特開２０００−２４３４８３号公報
【発明の概要】
【発明が解決しようとする課題】
【００１４】
上記従来例における端子台Ｂでは、ねじ端子部５４が、端子台Ｂの設置面に沿うベース５１３の上面に沿って設けられる。一般的に、端子台Ｂは、分電盤内等において周囲を他の部品や分電盤等の側壁に囲まれた位置に載置されるため、ねじ端子部５４の周囲には余分な作業スペースがなく、且つ、ベース５１２に沿うねじ端子部５４は、端子台Ｂの上面に対する位置が低いため見えずらいものとなっていた。
【００１５】
そのため、ねじ端子部５４にアース線等の配線を接続する際、ねじ端子部５４における作業スペースが狭く、更には、ねじ端子部５４に対する視認性が悪いことから、ねじ端子部５４に対して配線作業を行うことが困難なものとなっていた。
【００１６】
本発明は、上記事由に鑑みてなされたものであり、その目的は、ねじ端子部に対する配線作業を容易に行うことができる端子台を提供することにある。
【課題を解決するための手段】
【００１７】
請求項１の発明は、端子台において、絶縁材料により中空箱型に形成され、電線を挿入する１乃至複数の電線挿通孔が前面に並設されるケースと、ケース内において電線挿通孔に対向して設けられる基部及び基部において電線挿通孔の並設方向に沿って形成された縁端部からケースの前面側へ延設される導通片を有する端子板、並びに導通片と対向して配置され、電線挿通孔を介してケース内に入線する電線を導通片へ押圧して電線と端子板とを電気的に接続する鎖錠ばねを有する速結端子とを備え、前記端子板は、電線挿通孔の並設方向における基部の端部からケースの前面側へ延設される立設部、及び立設部の先端から電線挿通孔の並設方向へ延設されてケース外に突出し、ねじ孔が穿設されるねじ端子部が形成され、前記ねじ端子部は、挿通孔を有する銅板と、挿通孔と略同軸となるねじ孔が穿設されて銅板に重ねて配設される鉄板とから構成されることを特徴とする。
【００１８】
この発明によれば、ねじ端子部がケースの底面よりも前面側に形成されることで、ねじ端子部に接続する配線をケースの底面よりもケースの前面側で接続することができ、ねじ留めを行う際の作業スペースをケースの底面側よりも広くとることができ、且つ、底面側に比べて視認性が良いことから、ねじ端子部に対する配線作業を容易に行うことができる。さらに、ねじ端子部が、挿通孔が形成される銅板と、挿通孔に略同軸となるねじ孔が形成されて銅板に重ねて配置される鉄板とから構成されることで、銅板にねじ溝を形成する必要がないため銅板の厚みを薄くでき製造コストを低減することができる。
【発明の効果】
【００２１】
以上説明したように、本発明では、配線作業を容易に行うことができる端子台を提供することができるという効果がある。
【図面の簡単な説明】
【００２２】
【図１】本発明の実施形態における端子台の分解斜視図を示す。
【図２】同上における端子台の断面図を示す。
【図３】同上における端子台の斜視図を示す。
【図４】同上における端子台の断面図を示す。
【図５】同上における端子台が配設された分電盤の斜視図を示す。
【図６】従来例における端子台の斜視図を示す。
【発明を実施するための形態】
【００２３】
以下、本発明の実施の形態を図面に基づいて説明する。
【００２４】
（実施形態）
本実施形態の端子台Ａは、図１、２に示すように、ケース１と、ケース１内に配設される速結端子２とを備えたものが提供されている。以下、図１における上下左右方向を前後左右方向として説明を行う。
【００２５】
ケース１は、絶縁材料により形成され、後面（底面）が開口する左右方向に長い長尺略矩形箱型のカバー１１と、カバー１１の後面に覆設されるベース１２とから構成される。
【００２６】
カバー１１の前面１１０には、電線４１が挿通する電線挿通孔１１ａが左右方向（長手方向）に沿って複数貫設されている。
【００２７】
また、カバー１１の前面１１０の短手方向の端部からは、前面１１０に隣接して隣接方向（図１における矢印Ｘ１方向）へ向かうに従って後方へ向けて傾斜する傾斜面１１１が形成されている。そして、傾斜面１１１には、電線挿通孔１１ａと等しい数の工具挿通孔１１１ａが電線挿通孔１１１ａの並設方向に沿って貫設されている。
【００２８】
更に、カバー１１の左右各側壁の下端には、略矩形状の切り欠き１１ｂがそれぞれ形成されている。
【００２９】
ベース１２は、前面が開口した略矩形箱型に形成され、短手方向の各側壁には一対の係止孔１２ａがそれぞれ穿設されている。
【００３０】
速結端子２は、複数の鎖錠ばね２１と、鎖錠ばね２１によって押圧される電線４１と導通する銅板から形成される導通板２２及び導通板２２と共に鎖錠ばね２１を収納する鉄製のばね受け部材２３からなる端子板２０とを備える。
【００３１】
鎖錠ばね２１は、略帯板状の中央片２１ａと、中央片２１ａの一端から延設されて中央片２１ａと鋭角を形成する鎖錠片２１ｂと、中央片２１ａの他端から延設されて略Ｓ字状に形成され、中央片２１ａの厚み方向に弾性を有する押圧片２１ｃとから構成される。
【００３２】
導通板２２は、左右方向に長い長尺略矩形板状の基部２２ａと、基部２２ａの短手方向一端から前方へ延設される導通片２２ｂと、基部２２ａの左右両端から前方へ向けて延設される立設部２２ｃと、立設部２２ｃの先端から左右方向外側へ向けて延設されて挿通孔２２ｅが穿設される端子片２２ｄとから構成される。
【００３３】
ばね受け部材２３は、導通板２２の基部２２ａよりも左右方向の長さが若干長く形成される長尺略矩形平板状の基部２３ａと、基部２３ａの短手方向一端から前方へ向けて延設される第一の延設部２３ｂと、基部２３ａの短手方向他端から前方へ向けて延設される第第二の延設部２３ｃと、基部２３ａの左右方向両端から前方へ向けて延設される立設部２３ｄと、立設部２３ｄの先端から左右方向外側へ向けて延設されてねじ孔２３ｆが穿設される端子片２３ｅとから構成される。
【００３４】
そして、導通板２２は、ばね受け部材２３の第一、第二の延設部２３ｂ、２３ｃ間に挿入され、基部２２ａがばね受け部材２３における基部２３ａの前面に重ねて配置される。ここで、基部２２ａが基部２３ａに重ねて配置された際、端子片２２ｄの各側縁から後方へ向けて延設される突片２２ｆが、端子片２３ｅの各側縁に形成される略矩形状の切り欠き２３ｇに嵌まり込むことで、端子片２３ｅに対する端子片２２ｄの位置決めがなされる。これにより、端子片２２ｄに形成される挿通孔２２ｅと、端子片２３ｅに形成されるねじ孔２３ｆとが略同軸となる。そして、挿通孔２２ｅを挿通してねじ孔２３ｆに螺合するねじ２４により、端子片２２ｄと端子片２３ｅとが共締め固定されてねじ端子部３０が形成される。
【００３５】
本実施形態では上記に示す通り、銅板からなる導通板２２の端子部２２ｄに挿通孔２２ｅを穿設し、挿通孔２２ｅと略同軸となるねじ孔２３ｆを鉄板からなるはね受け部材２３の端子部２３ｅに形成している。これにより、ばね受け部材２３は、ねじ孔２３ｆを穿設可能な程度の厚みを必要とするのに対し、導通板２２は、ねじ孔を穿設可能な程の厚みを必要とせず、厚みを薄くすることができる。従って、銅板からなる導通板２２の厚みを薄くできて製造コストの低減を図ることができる。
【００３６】
次に、鎖錠ばね２１が、導通板２２の導通片２２ｂとばね受け部材２３の第二の延設部２３ｃとの間に配設される。その際、鎖錠ばね２１の中央片２１ａが、第二の延設部２３ｃに当接し、鎖錠ばね２１の鎖錠片２１ｂと押圧片２１ｃとが、導通板２２の導通片２２ｂに対向して設けられる。
【００３７】
そして、ばね受け部材２３は、導通板２２及び鎖錠ばね２１が組み付けられた状態で開放端側からカバー１１の下面より当該カバー１１内へ差し込まれる。そして、カバー１１の短手方向における各側面の下端に形成される一対の係止突部１１ｃが、ベース１２の係止孔１２ａに係止されることで、カバー１１がベース１２に固定される。詳しく説明すると、係止孔１２ａは、前後方向の位置が互いに異なって左右方向で隣接する２つの孔部１２１，１２２から構成されており、孔部１２１は孔部１２２よりも前方側に形成されて孔部１２１の後方側の一部と孔部１２２の前方側の一部とが連続している。そして、カバー１１の係止突部１１ｃは、まず孔部１２１に嵌め込まれて後部１２１の後端までスライドされ、その後に左右方向へスライドされることで孔部１２２へ嵌まり込んで固定される。
【００３８】
また、カバー１１の内面には、短手方向に沿って図示しないリブが形成されており、当該リブによってカバー１１内に配設される各鎖錠ばね２１間が仕切られると共に、錠ばね２１の傾きが防止される。
【００３９】
また、カバー１１に形成された切り欠き１１ｂより導通板２２及びばね受け部材２３の基部２２ａ、２３ａの左右両端部が、カバー１１外に露出する。つまり、導通板２２の立設部２２ｃ及び端子片２２ｄはカバー１１外に位置し、立設部２２ｃはベース１２の前面よりカバー１１の前面１１０側へ向けて延出し、端子片２２ｄは立設部２２ｃの先端よりカバー１１の前面１１０と略平行に設けられることとなる。
【００４０】
そして、ねじ端子部３０には、一端がアース接続されて他端に丸端子等が設けられた図示しないアース線の他端が接続され、当該アース線と導通板２２とがアース接地される。
【００４１】
また、カバー１１の電線挿通孔１１ａからケース内に挿し込まれる電線４１は、鎖錠ばね２１の押圧片２１ｃによって導通板２２の導通片２２ｂに押圧されると共に、鎖錠片２１ｂが電線４１に食い込むことで係止され、導通板２２を介してアース接続される。
【００４２】
また、電線４１に対する係止を解除して当該電線４１を取り外す際には、図３，図４に示すように、カバー１１の工具挿通孔１１１ａよりケース１１内へ、例えばマイナスドライバ等の工具４２を差し込んで鎖錠ばね２１の鎖錠片２１ｂを押圧することにより当該鎖錠片２１ｂを撓ませ、当該鎖錠片２１ｂの電線４１に対する鎖錠状態を解除することで電線４１を引き抜くことができる。また、１つの電線挿通孔１１ａにつき当該電線挿通孔１１ａに挿し込まれた電線４１を引き抜く際に工具４２が挿し込まれる１つの工具挿通孔１１１ａが対応しており、電線挿通孔１１ａと、当該電線挿通孔１１ａに対応する工具挿通孔１１１ａとは、傾斜面１１１の隣接方向において並設される。
【００４３】
上記構成からなる本実施形態の端子台Ａでは、ねじ端子部３０が端子台Ａの設置面（底面）よりもカバー１１の前面１１０側に設けられているため、アース線を端子台Ａのベース１２よりも前方でねじ端子部３０に接続することができる。従って、例えば、図５に示す分電盤内等のように、端子台Ａの周囲に分電盤のケース３１の壁部３１ａや分岐ブレーカ３２等が近接している場合であっても、図６で示す従来例の端子台Ｂに比べて、ドライバー等の工具４２でねじ端子部３０にアプローチし易く、更には、ねじ端子部３０における視認性が良いことから、ねじ端子部３０に対する配線作業を容易に行うことができる。なお、本実施形態では、ねじ端子部３０に接続する配線をアース線としているが、ねじ端子部３０に接続される配線はアース線に限定されず、他の配線であってもよい。
【符号の説明】
【００４４】
１  ケース
２  速結端子
１１ａ  電線挿通孔
２０  端子板
２１  鎖錠ばね
２２  導通板
２２ａ  基部
２２ｂ  導通片
２２ｃ  立設部
２２ｄ  端子部
２２ｅ  挿通孔
２３ｆ  ねじ孔
１１０  前面
【図１】
0005399852.tif 000002
【図２】
0005399852.tif 000003
【図３】
0005399852.tif 000004
【図４】
0005399852.tif 000005
【図５】
0005399852.tif 000006
【図６】
0005399852.tif 000007